(57)【要約】【課題】ロープの係止金具への係止操作、係止位置の変更を容易に行うことができるとともに、ロープの係止金具への係止が緩み、あるいは外れる可能性がなく、強固にロープを係止金具に結合させることができる係止金具を工夫すること。【解決手段】係止金具が逆三角形部１と当該逆三角形部１の底辺中央から突出した柄部２とからなり、上記逆三角形部１と柄部２とがくの字状に屈曲した板材であり、上記逆三角形部１の底辺の左右両肩部に円弧状の凹部４，４が設けられており、上記逆三角形部１の中央に縦長孔３があり、当該孔３の下部が楔形であり、上記柄部２上端にフック、丸孔などの係止手段５が設けられたロープ係止金具。【選択図】図  １
2005214389.tif 000002
【特許請求の範囲】
【請求項１】
係止金具が逆三角形部と当該逆三角形部の底辺中央から突出した柄部とからなり、上記逆三角形部と柄部とがくの字状に屈曲した板材であり、
上記逆三角形部の底辺の左右両肩部に円弧状の凹部が設けられており、
上記逆三角形部の中央に縦長孔があり、当該孔の下部が楔形であり、
上記柄部上端にフック、丸孔などの係止手段が設けられているロープ係止金具。
【請求項２】
係止金具が柄部と当該柄部両端にそれぞれ設けられた三角形部とからなる板材であり、
上記柄部が上記各三角形部の底辺中央部から突出しており、
上記柄部が中間位置でくの字状に屈曲しており、
上記各三角形部の底辺の左右両肩部に円弧状の凹部が設けられており、
上記各三角形部の中央に縦長孔があり、当該孔の先端部が楔形であるロープ係止金具。
【発明の詳細な説明】
【技術分野】
【０００１】
この発明は、ロープ係止金具に関するものであり、ロープ係止金具へのロープを係止する操作が簡単で、係止力が強固であり、ロープ係止金具へのロープ係止位置の変更を簡単に行うことができるものである。
【背景技術】
【０００２】
ロープを簡単に係止できるロープ係止金具として様々な構造のものが知られており、その一例が実用新案登録第３０７４９３９号公報に記載されている。このロープ係止金具は長方形の金属板の中央部に傾斜部があり、両端部に切り欠きを設けてこの切り欠きを側縁端に開口させたものであり、上記傾斜部の孔にロープの一端を抜け止めして連結し、上記両切り欠きにロープを引っ掛けて係止させるものである。このものはロープの係脱操作が容易であり、梱包ロープの係止金具として有効である。しかし、ロープが係止金具に対して滑ってロープが緩み、あるいは、ロープが揺れると係止金具の上記切り欠きから外れる可能性があるので、吊りロープを固定部へ係止する係止金具として使用するには適当でない。
また、ロープの係止金具への係止位置を変更するには、ロープを上記切り欠きから外し、再び切り欠きに係止しなければならないので、係止金具へのロープの係止位置を変更する操作が容易でない。
【特許文献１】実用新案登録第３０７４９３９号公報
【発明の開示】
【発明が解決しようとする課題】
【０００３】
そこで、この発明は、ロープの係止金具への係止操作、係止位置の変更を容易に行うことができるとともに、ロープの係止金具への係止が緩み、あるいは外れる可能性がなく、強固にロープを係止金具に結合させることができる係止金具を工夫することをその課題とするものである。
【課題を解決するための手段】
【０００４】
〔解決手段１〕
上記課題解決のための手段１は、次の（イ）〜（ニ）によるものである。
（イ）係止金具が逆三角形部と当該逆三角形部の底辺中央から突出した柄部とからなり、上記逆三角形部と柄部とがくの字状に屈曲した板材であること、
（ロ）上記逆三角形部の底辺の左右両肩部に円弧状の凹部が設けられていること、
（ハ）上記逆三角形部の中央に縦長孔があり、当該孔の下部が楔形であること、（ニ）上記柄部上端にフック、丸孔などの係止手段が設けられていること。
【０００５】
〔解決手段２〕
解決手段２は、次の（イ）〜（ホ）によるものである。
（イ）係止金具が柄部と当該柄部両端にそれぞれ設けられた三角形部とからなる板材であること、
（ロ）上記柄部が上記各三角形部の底辺中央部から突出していること、
（ハ）上記柄部が中間位置でくの字状に屈曲していること、
（ニ）上記各三角形部の底辺の左右両肩部に円弧状の凹部が設けられていること、
（ホ）上記各三角形部の中央に縦長孔があり、当該孔の先端部が楔形であること。
【発明の効果】
【０００６】
〔解決手段１の作用・効果〕
ロープの一端を上記縦長孔に通し、柄部の裏側を回して上記縦長孔の下部に挿入して係止金具に固定する（図３参照）。ロープに張力がかかると、上記縦長孔の下部に挿入された部分がロープ張力で縦長孔の楔形下部に押し込まれるので、ロープと係止金具との結合強度が増大し、当該結合強度はロープ張力が強いほど強くなる。そして、ロープは逆三角形部の底辺の左右両肩部の円弧状凹部に引っ掛かり、この掛りはロープの張力が大きいほど強い。したがって、ロープは係止金具に強固に結合され、ロープの張力が増大してもロープがロープ係止金具に対して滑ることはない。
そしてまた、ロープは逆三角形部の底辺の左右両肩部の円弧状凹部に強く引っ掛かるので、ロープが揺れてもロープ係止金具から外れることはない。
上記柄部上端をボルト、釘などの適宜の固定手段で例えば壁、柱などの固定部に固定し、あるいはフックなどで上記固定部から吊り下げたロープ係止金具の逆三角形部にロープを連結することで、当該ロープがロープ係止金具を介して固定部に係止される。
なお、ロープを係止金具の上記縦長孔、上記凹部、柄部を利用することで、様々な形態で係止金具にロープを連結させることができる。
【０００７】
〔解決手段２の作用・効果〕
解決手段２は、上記柄部の両端に上記三角形部が設けられているものであるから、各三角形部にそれぞれ別個のロープを解決手段１におけると同様にして連結することができ、この係止金具を用いて２つのロープを繋ぐことができる。
〔実施態様１〕
実施態様１は、解決手段１または解決手段２のロープ係止金具が金属板製又は硬質プラスチック板製であることである。
なお、上記ロープには、当該ロープのように上記係止金具に係止できるワイヤ、紐等も含まれる。また、上記下部又は先端部が楔形状の縦長孔には、これと同様の機能を有する全体が三角形状の孔も含まれる。
【発明を実施するための最良の形態】
【０００８】
次いで、この発明のロープ係止金具の一例を図１を参照しながら説明する。
【実施例１】
【０００９】
この実施例１のロープ係止金具は先端の逆三角形部１と柄部２を有し、柄部２が逆三角形部１の底辺中央から突出している。
逆三角形部１の中央に縦長孔３があり、この縦長孔３の下部は楔形になっており、この縦長孔３の幅は７ｍｍ、長さは１６．５ｍｍである。さらに、逆三角形部１の底辺の左右肩部に円弧状の凹部４があり、その幅、深さはロープが十分に嵌まり込むほどの大きさである。なお、この凹部４の曲率半径は３ｍｍである。
逆三角形部１の高さｈは２６ｍｍであり、その底辺の幅Ｗは２６ｍｍ、柄部２の長さｌは３０ｍｍであり、柄部２の上部の幅Ｗ1 は１９ｍｍで、当該上部に直径８．５ｍｍの丸孔５が設けられている。そして、このロープ係止金具は柄部２の中間位置で約１０度の角度でくの字状に傾斜している。
【００１０】
柄部２の孔にボルトあるいはロープを通して柄部２の上部を壁などの固定部に固定し、ロープＲを逆三角形部１の縦長孔３に通し、柄部２の裏側を通し、さらに縦長孔３に通すことで、ロープＲはロープ係止金具に連結される（図３参照）。
図３に示す結び方以外の結び方でロープ係止金具にロープを連結することも可能であり、また、上記の「三角形」は必ずしも正確な三角形である必要はなく、図３に示すように輪郭の形状の概略が三角形状であることを意味する。また、図３から明らかなように三角形部は長方形でもよいが、三角形が最も無駄のない形状である。すなわち、板を打ち抜いて上記係止金具を作るには、三角形が最も板材の利用効率が高く、製作コストが最も低い。
【実施例２】
【００１１】
実施例２は図２に示すものである。このものはその柄部２２の一端に三角形部２１を設け、他端にも同じ形状の三角形部２１を設けたものであり、柄部２２はその中間部でくの字状に屈曲している。そして、２つの三角形部２１，２１の縦長孔２３、三角形部の底辺の凹部２４、柄部２２を利用して、それぞれ別個のロープを三角形部２１，２１に連結することで、ロープ係止金具を介して２つのロープが連結される。
【図面の簡単な説明】
【００１２】
【図１】（ａ）は実施例１の平面図であり、（ｂ）は側面図である。
【図２】（ａ）は実施例２の平面図であり、（ｂ）は側面図である。
【図３】は実施例１のロープ係止金具にロープを連結した状態の一例を示す斜視図である。
【符号の説明】
【００１３】
１・・・逆三角形部
２，２２・・・柄部
３，２３・・・縦長孔
４，２４・・・凹部
５・・・丸孔
２１・・・三角形部
Ｒ・・・ロープ
【図１】
2005214389.tif 000003
【図２】
2005214389.tif 000004
【図３】
2005214389.tif 000005